(57)【特許請求の範囲】
【請求項１】
前部座席(FS)とその後方に位置する後部座席(RS)とを備えた乗用車の乗員室内で、前記前部座席(FS)におけるシートバック(14)の側面に回動可能に枢支され、略水平前方へ延出して使用に供されるアームレストにおいて、
前記シートバック(14)に取り付けられ、略水平前方へ延出する第１位置および反転させることで前記後部座席(RS)に向けて略水平後方へ延出する第２位置の間を回動し得るアームレスト本体(21)と、
このアームレスト本体(21)の内部に配設されて該アームレスト本体(21)の長手方向に沿って開口し、前記第１位置にあっては開口が下方を指向し、前記第２位置にあっては開口が上方を指向する収容室(22)と、
前記収容室(22)の長手方向両側に対向配設されたガイドレール(26,26)にスライド可能に支持され、前記開口を介して該収容室(22)に縦向きで出し入れ自在に収容されるテーブル(30)と、
前記ガイドレール(26,26)の何れか一方に設けられた第１係止部(42)と、
前記テーブル(30)に、前記収容室(22)に対する該テーブル(30)の出し入れ方向と交差する方向へスライド可能に設けられ、テーブル(30)が収容室(22)に収容された状態において、該テーブル(30)が該収容室(22)から出る方向で前記第１係止部(42)と交差する第２係止部(44)とを備え、
前記第１位置では、前記第１係止部(42)と前記第２係止部(44)との係止により、前記テーブル(30)を前記収容室(22)に保持して前記前部座席(FS)用のアームレストとして使用し、
前記第２位置では、前記第１係止部(42)と第２係止部(44)との係止解除により、前記テーブル(30)を前記収容室(22)から上方へ引出して、該テーブル(30)を前記後部座席(RS)用の載置部として使用するよう構成した
ことを特徴とするテーブル付きアームレスト。
【請求項２】
前記第２係止部(44)は、前記収容室(22)に収容された前記テーブル(30)から前記アームレスト本体(21)の外方へ突出した係止レバー(43)に設けられ、前記係止レバー(43)の前記アームレスト本体(21)外方からのスライド操作により第２係止部(44)と前記第１係止部(42)とを係脱させる請求項１記載のテーブル付きアームレスト。
【請求項３】
前記テーブル(30)は、前記ガイドレール(26,26)に両端が支持される支持部材(31)と、この支持部材(31)の両側へ展開可能な第１プレート(33)および第２プレート(34)からなり、
前記テーブル(30)は、前記第１プレート(33)および第２プレート(34)を折畳むことで前記収容室(22)へ収容され、これら第１プレート(33)および第２プレート(34)を前記支持部材(31)を挟んで展開することで載置部として機能する請求項１または２記載のテーブル付きアームレスト。
【請求項４】
前記テーブル(30)には、飲料容器(D)に固有のサイズに見合った保持孔(35)と、この保持孔(35)の下方に臨んで該保持孔(35)に収容した前記飲料容器(D)を下側から受止める容器受部材(36)とからなるカップホルダ(32)が設けられた請求項１〜３の何れか一項に記載のテーブル付きアームレスト。
【発明の詳細な説明】
【０００１】
【発明の属する技術分野】
この発明は、テーブル付きアームレストに関し、更に詳細には、前部座席におけるシートバックの側面に回動可能に枢支されたアームレスト本体を後部座席の側まで到来するようにし、このアームレスト本体の内部に収容したテーブルを後部座席でのカップ等の載置部として機能させ得るよう構成したテーブル付きアームレストに関するものである。
【０００２】
【従来の技術】
近年に至り、殆どの乗用車では、缶ジュース等の飲料容器を一時的に収容保持し得るカップホルダが装備されている。ここで、例えば前部座席および後部座席を有するセダンタイプの乗用車では、該前部座席の運転席および助手席の間にフロアコンソールが装備されており、前部座席乗員用のカップホルダを、インストルメントパネルの前面または前記フロアコンソールの上面に設け、また後部座席乗員用のカップホルダを、該フロアコンソールの後端面に出入れ可能に設置する場合が多い。また、ベンチタイプの後部座席を有する乗用車において、シートバック中央に埋込みタイプのアームレストを回動可能に設けたタイプでは、該アームレストの背面等にカップホルダを設ける場合もある。
【０００３】
一方、１ＢＯＸタイプに代表される従来のＲＶ車等の多くは、図１１に示す如く、後部座席ＲＳに対する乗員乗降用のためにスライド式のリアドア１０を車体の片側(一般的には左側)だけに設け、車体右側はウインドウガラスがはめ込まれた壁面１１とされている。このため、前記フロアコンソール１２が装備されたタイプでは、該フロアコンソール１２の後端部にカップホルダ１３を出入れ可能に設置することも可能であるし、該フロアコンソール１２が装備されないタイプでは、前記右側壁面１１にカップホルダ１３やテーブル１６等を設置することも可能となっている。
【０００４】
【発明が解決しようとする課題】
ところで、近年発売される新型のＲＶ車では、図１２に示す如く、前部座席ＦＳと後部座席ＲＳとの間を往来し得るように(一般に「ウォークスルー」と云う)前記フロアコンソール１２を撤去し、前部座席の運転席および／または助手席のシートバック１４の側面に、回動可能なアームレスト１５を装備する傾向にある。一方、後部座席ＲＳへの乗降性の向上を図るために、車体の左右両側にスライド式のリアドア１０,１０を設けたタイプも多くなっている。このように、フロアコンソール１２が撤去されると共に車体両側にスライド式のリアドア１０,１０を有する乗用車では、後部座席乗員用のカップホルダやテーブルを装備し得る部位が殆どない状況となっている。すなわちスライド式のリアドア１０,１０では、車体の外側壁面に沿って該ドア１０,１０がスライドするため、該ドア１０,１０のドアパネルにカップホルダやテーブルを設けることが不可能である。なお、前述したセダンタイプの乗用車の如く、後部座席のシートバック中央にアームレストを設けた場合には、このアームレストにカップホルダを設けることは可能であるとしても、該アームレストを使用すれば乗車可能人数が少なくなるから多人数乗車を最大のメリットとするＲＶ車の特徴を阻害することになり、後部座席ＲＳのアームレストにカップホルダを設けることは実用的ではない。
【０００５】
【発明の目的】
本発明は、前述した課題を好適に解決するべく提案されたもので、前部座席のシートバックに装備されたアームレストを後部座席の側まで回動可能にすると共に、該アームレストの内部にテーブルを設けることで、このテーブルを後部座席乗員が利用し得るよう構成したテーブル付きアームレストを提供することを目的とする。
【０００６】
【課題を解決するための手段】
前記課題を解決して、所期の目的を達成するため本発明は、前部座席とその後方に位置する後部座席とを備えた乗用車の乗員室内で、前記前部座席におけるシートバックの側面に回動可能に枢支され、略水平前方へ延出して使用に供されるアームレストにおいて、
前記シートバックに取り付けられ、略水平前方へ延出する第１位置および反転させることで前記後部座席に向けて略水平後方へ延出する第２位置の間を回動し得るアームレスト本体と、
このアームレスト本体の内部に配設されて該アームレスト本体の長手方向に沿って開口し、前記第１位置にあっては開口が下方を指向し、前記第２位置にあっては開口が上方を指向する収容室と、
前記収容室の長手方向両側に対向配設されたガイドレールにスライド可能に支持され、前記開口を介して該収容室に縦向きで出し入れ自在に収容されるテーブルと、
前記ガイドレールの何れか一方に設けられた第１係止部と、
前記テーブルに、前記収容室に対する該テーブルの出し入れ方向と交差する方向へスライド可能に設けられ、テーブルが収容室に収容された状態において、該テーブルが該収容室から出る方向で前記第１係止部と交差する第２係止部とを備え、
前記第１位置では、前記第１係止部と前記第２係止部との係止により、前記テーブルを前記収容室に保持して前記前部座席用のアームレストとして使用し、
前記第２位置では、前記第１係止部と第２係止部との係止解除により、前記テーブルを前記収容室から上方へ引出して、該テーブルを前記後部座席用の載置部として使用するよう構成したことを特徴とする。
【０００７】
【発明の実施の形態】
次に、本発明に係るテーブル付きアームレストにつき、好適な実施例を挙げて、添付図面を参照しながら以下説明する。本発明が対象とするアームレストは、例えば図１２に示す如く、前部座席ＦＳとその後方に位置する後部座席ＲＳとを備えた乗用車において、前記前部座席ＦＳにおけるシートバック１４の側面に回動可能に枢支され、常には略水平方向へ延出して使用に供されるものが前提とされる。
【０００８】
そこで先ず、本実施例に係るテーブル付きアームレストの使用形態に付き、図７〜図１０をもとに概略説明する。なお実施例では、前部座席ＦＳとして乗員室右側に設置される運転席のみを例示するが、乗員室左側に設置される助手席も対象とされる。実施例のテーブル付きアームレスト２０は、前部座席ＦＳのシートバック１４側面に回動可能に枢支されるもとで、常には図７に示す如く略水平前方へ延出した第１位置に姿勢保持され、この状態で当該前部座席乗員のアームレストとして機能する。一方、実施例のテーブル付きアームレスト２０は、図９に示す如く、前記第１位置から略１８０度反転させて略水平後方へ延出して前記後部座席ＲＳの側へ臨む第２位置まで回動可能に枢支され、この第２位置でも姿勢保持されるようになっている。
【０００９】
そして、前記テーブル付きアームレスト２０が前記第２位置へ到来すると、アームレスト本体２１内に収容されているテーブル３０が、該アームレスト本体２１の上面側に臨むようになる。そしてアームレスト本体２１を、この第２位置に姿勢保持させたもとで、図１０(ａ)に示す如くテーブル３０を上方へ引出し、次いで図１０(ｂ)に示す如く、該テーブル３０を構成する第１プレート３３および第２プレート３４を左右へ展開することで、飲料容器等の載置部として機能する。従って後部座席ＲＳの乗員は、該座席ＲＳに着座しながら手を伸せば、前記テーブル３０の上面に物品を載せ得ると共に、前記第１プレート３３に設けたカップホルダ３２の保持孔３５へ飲料容器Ｄを容易に収容保持させ得る。なお、実施例のテーブル付きアームレスト２０は、図８に示す如く、シートバック１４に沿った略垂直状態が非使用状態とされる。
【００１０】
次に、前述した実施例のテーブル付きアームレスト２０の構成につき、図１〜図６をもとに具体的に説明する。本実施例のテーブル付きアームレスト２０は、略水平に前方へ延在する第１位置および反転させることで前記後部座席ＲＳの側へ略水平に延出する第２位置の間を回動し得るアームレスト本体２１と、このアームレスト本体２１の内部に配設され、前記第１位置にあっては下方に指向して長手方向へ開口する収容室２２と、この収容室２２に前記開口を介して出し入れ自在に収容されるテーブル３０とから構成されている。
【００１１】
(アームレスト本体)
前記アームレスト本体２１は、回動支点側から回動自由端側に向けて徐々に先細となる細長で丸みを帯びた形状を呈し、前記前部座席ＦＳにおけるシートバック１４の金属フレーム(図示せず)に対して一端側が枢支される縦断面コ字状の金属製のフレーム部材２３と、このフレーム部材２３の外側に被着され、該アームレスト本体２１の外形形状に成形されて適宜の弾力性を有するフォーム材２４と、このフォーム材２４の外面に装着される表皮材２５とから構成されている。そして、アームレスト本体２１を前記第２位置へ到来させた際に上方を指向する面(第１位置へ到来した際には下方を指向する面)に、該本体２１の自由端側から略半分の領域において長手方向へ延在する細長幅狭でかつ縦断面矩形状を呈する前記収容室２２が開口形成されている。
【００１２】
(収容室)
前記収容室２２は、前記第１プレート３３および第２プレート３４を対向当接させて折畳んだテーブル３０を収容し得る大きさに設定されており、前記フレーム部材２３に隣接して形成されている。また図２に示す如く、テーブル３０を構成する容器受部材３６に対応する部位は適宜幅広に設定されており、第１プレート３３の裏側へ沿わせた容器受部材３６とフォーム材２４との干渉が回避されるようになっている。そして、前記収容室２２における長手方向の両端部には、前記フレーム部材２３に固定されながら平行に立設された２本のガイドレール２６,２６が、該収容室２２の底部から該収容室２２の外方へ延出した状態に立設されている。このガイドレール２６,２６は、横断面Ｕ字形の樋状を呈すると共に上端に曲面状の抜止部２６ａが形成されており、後述するように、支持部材３１の両側が端部支持されるようになっている。
【００１３】
(テーブル)
前記テーブル３０は、前記収容室２２の内部両側に対向的に配設された前記ガイドレール２６,２６に端部支持される支持部材３１と、この支持部材３１の左右両側へ横開き展開可能な第１プレート３３および第２プレート３４から構成されている。そして、これら第１プレート３３および第２プレート３４を互いに対向当接させて折畳むことで前記収容室２２へ収容可能状態とされ、またこれら第１プレート３３および第２プレート３４を水平状態に展開させることで使用可能状態となる。
【００１４】
前記支持部材３１は、前記夫々のガイドレール２６,２６に端部係合する支持棒３７を挿通支持するスライド支持部３１ａと、このスライド支持部３１ａの上部両側に一体的に形成され、前記夫々の第１プレート３３および第２プレート３４を枢支する枢支棒３８の両端部を支持する回動支持部３１ｂ,３１ｂとから構成されている。前記スライド支持部３１ａは、前記夫々のガイドレール２６,２６の内側対向面に軽く摺接する程度の全長に設定されており、また前記支持棒３７はこのスライド支持部３１ａの両側から所要量ずつ延出する全長に設定されており、この延出部分が夫々のガイドレール２６,２６の内側へ係合するようになる。従って支持部材３１は、ガイドレール２６,２６に突入係合した前記支持棒３７の両端が該ガイドレール２６,２６の溝部に沿って移動することにより前記収容室２２内を水平状態で昇降移動し、前記支持棒３７が各ガイドレール２６,２６の抜止部２６ａに当接するとこれ以上の上昇移動が規制される。また前記枢支棒３８は、前記回動支持部３１ｂ,３１ｂの両端面から側方へ延出しない長さに設定されている。なお、支持部材３１が最高位置まで上昇した際には、例えば前記ガイドレール２６,２６と支持棒３７とが適宜係着することで、該支持部材３１はこの位置から下降移動しないように姿勢保持される。
【００１５】
前記第１プレート３３および第２プレート３４には、夫々の端部に前記枢支棒３８の挿通を許容する枢支筒部３３ａ,３４ａが２つずつ形成されている。そして、前記支持部材３１に対して第１プレート３３および第２プレート３４を整合させた際には、夫々のプレート３３,３４における各枢支筒部３３ａ,３４ａが、前記支持部材３１の夫々の回動支持部３１ｂ,３１ｂの間で交互直列に整列し、これら回動支持部３１ｂ,３１ｂおよび枢支筒部３３ａ,３４ａ,３３ａ,３４ａは前記枢支棒３８で共通的に挿通支持される。これにより第１プレート３３および第２プレート３４は、支持部材３１に対して相互に対向当接した折畳み状態と、一枚平板状の展開状態とに姿勢変位し得るようになっている。そして、前記第１プレート３３および第２プレート３４は同一の外形サイズに形成されており、２つに折畳んだ際には前記支持部材３１と略同一の厚みになって前記ガイドレール２６,２６の間をスライドしながら前記収容室２２へ収容される。なお第１プレート３３および第２プレート３４は、図５に示した水平位置より下方への回動が規制されるように前記支持部材３１に回動支持される。
【００１６】
(カップホルダ)
そして実施例のテーブル付きアームレスト２０では、テーブル３０を構成する前記第１プレート３３に、飲料容器Ｄを保持し得るカップホルダ３２が設けられている。このカップホルダ３２は、例えば３５０ｃｃのジュース缶や５００ｃｃのペットボトル等の比較的太径の飲料容器Ｄに固有の直径サイズに見合った大きさに開口した保持孔３５と、この保持孔３５に臨む受板４１で該保持孔３５に収容した前記飲料容器Ｄを下側から受け止める容器受部材３６とから構成されている。この容器受部材３６は、前記第１プレート３３の裏面に一体的に突設された支持片３９,３９に揺動可能に枢支されるレバー状部材であって、夫々の支持片３９,３９に枢支されたレバー部４０,４０の揺動端側に前記受板４１が架設されており、該受板４１は前記保持孔３５の略中央を通るように延在している。また、前記夫々のレバー部４１,４１の支持端側には、容器受部材３６の回動規制を図る爪部４０ａ,４０ａが形成されており、図３および図５に示す位置まで受板４１が下降した際に第１プレート３３の裏側へ当接して回動を規制するようになっている。従って、前記保持孔３５へ収容された飲料容器Ｄは、容器受部材３６が回動規制される位置まで降下した後に受板４１で受け止められ、保持孔３５内に好適に保持される。なお前記保持孔３５の形状は、実施例に示した丸形状に限定されるものではない。
【００１７】
(係止レバーおよび係止孔)
また、前記アームレスト本体２１における前記収容室２２に設置された一方のガイドレール２６(図２における図示下側のガイドレール２６)には、折曲部材を該ガイドレール２６に接合することにより係止孔(第１係止部)４２が画成されている。一方、テーブル３０における前記第１プレート３３の端部隅角部には、該プレート３３の側方へ突出可能な係止片(第２係止部)４４を有する係止レバー４３がスライド移動可能に配設されている。これにより、前記収容室２２内へ前記テーブル３０を収容した際に、前記係止レバー４３を図４の矢印方向へスライドさせることで、該係止レバー４３の係止片４４が前記係止孔４２へ突入係合し、該テーブル３０はガイドレール２６を介してアームレスト本体２１へ係止される。従って、前記係止レバー４３の係止片４４を係止孔４２へ係合させておけば、前記アームレスト本体２１を前記第１位置へ到来して下方を指向したとしても、テーブル３０が収容室２２から不用意に脱落しない。
【００１８】
このように構成された実施例のテーブル付きアームレスト２０では、前部座席乗員のアームレストとして使用する場合には、図７に示す如く、前記テーブル３０を収容室２２内へ収容し、かつ前記係止レバー４３をスライドさせて係止片４４を係止孔４２へ係合させたもとで、アームレスト本体２１を前記第１位置へ到来させる。これによりアームレスト２０は、テーブル３０が下方を指向するようになるので、前部座席乗員は肘を掛けることができる。
【００１９】
一方、後部座席乗員のテーブル３０またはカップホルダ３２として使用する場合には、図９に示す如く、先ず前記アームレスト本体２１を前記第２位置へ反転させて、後部座席ＲＳの前方側へ臨ませる。そして、前記係止レバー４３をスライドさせて係止片４４と係止孔４２との係合を解除したもとで、図１０(ａ)に示す如く、テーブル３０を指先で摘みながら上方へ引出し、次いで図１０(ｂ)に示す如く、第１プレート３３および第２プレート３４を左右へ展開させることで、該テーブル３０が使用可能とされる。これにより後部座席乗員は、後部座席ＲＳに着座したままの姿勢で手を伸すだけで、テーブル３０の上面に例えばお菓子やパン等およびその他の小間物を載置することができる。しかも実施例のテーブル３０では、第１プレート３３および第２プレート３４を展開させて使用するので、その載置面積がかなり大きくなって多くの物品を同時に載置し得る。
【００２０】
また、前記カップホルダ３２を利用するに際しても、後部座席乗員は後部座席ＲＳに着座したままの姿勢で手を伸せば、保持孔３５内へ飲料容器Ｄを簡単に収容することができる。しかもこのカップホルダ３２は、第１プレート３３の下面に設けた容器受部材３６により適宜の深さを有しており、保持孔３５内へ収容された飲料容器Ｄは車体の振動等でも倒れることなく好適に保持される。
【００２１】
更に前記テーブル３０は、第２位置に到来したアームレスト本体２１の上面に展開されて使用するようになっているので、後部座席Ｄの乗員にとっては使用するうえで最適な高さ位置に展開される。またテーブル３０は、後部座席ＲＳに定員(例えば３人)の乗員が着座していても使用可能である。しかも、後部座席ＲＳの略中央前方に位置しているので、該後部座席ＲＳのどの位置に着座していても手を伸ばせば容易に利用し得る。
【００２２】
なお実施例では、テーブル３０を第１プレート３３および第２プレート３４から構成したもとで、該第１プレート３３のみにカップホルダ３２を設けたものを例示したが、このカップホルダ３２は第２プレート３４のみに設けるようにしてもよいし、また第１プレート３３および第２プレート３４の両方に１つずつ設けるようにしてもよい。
【００２３】
また前記実施例では、図面の複雑化を回避すると共に理解の便宜を図るために前記テーブル３０の形状・サイズを大きめに図示した関係上、第１プレート３３および第２プレート３４を折畳んで収容室２２へ収容された該テーブル３０は、バックレスト本体２１から若干突出した状態となっている。しかるに、例えば前記バックレスト本体２１の外形寸法や高さ寸法を大きく設定したり、また前記支持棒３７と枢支棒３８の上下配設間隔を大きく設定して(前記支持部材３１の高さ寸法を大きくする)、展開使用時のテーブル３０とバックレスト本体２１との干渉が回避されるように設定すれば、前記収容室２２へ収容した前記テーブル３０が該バックレスト本体２１から突出しないようにすることができる。
【００２４】
【発明の効果】
以上説明した如く、本発明に係るテーブル付きアームレストによれば、前部座席のシートバックに枢支されるアームレスト本体を後部座席の側へ臨む第２位置まで回動可能にすると共に、このアームレスト本体の設置部に収納したテーブルを該アームレスト本体が第２位置に到来した際に引出して実施に供し得るよう構成したことにより、後部座席乗員がカップ等の物品を載置するために利用できる利点がある。そしてテーブルは、第２位置へ到来したアームレスト本体の上面で使用するようになっているので、最適な高さ位置での使用が可能となる利点もある。また、折畳み可能な第１プレートおよび第２プレートからテーブルを構成すれば、載置面積が大きくなるので多くの物品を同時に載置し得る。また、テーブルにカップホルダを設ければ、紙カップやジュース缶等の飲料容器を倒れることなく好適に保持し得る。更に、アームレスト本体側に設けた第１係止部と、テーブルの所要位置に設けた第２係止部とを係合させるようにすれば、カップホルダの収容室からの不用意な脱落を防止し得る等の利点もある。
【図面の簡単な説明】
【図１】本発明の好適な一実施例に係るテーブル付きアームレストの平面図であって、テーブルを収容室から引出した使用状態を示している。
【図２】テーブル付きアームレストの平面図であって、テーブルを収容室へ収容した非使用状態で示している。
【図３】テーブル付きアームレストの一部破断側面図であって、テーブルを収容室から引出した使用状態を示している。
【図４】テーブル付きアームレストの一部破断側面図であって、テーブルを収容室へ収容した非使用状態で示する。
【図５】図１のＶ−Ｖ線断面図である。
【図６】図２のVI−VI線断面図である。
【図７】本実施例のテーブル付きアームレストを、第１位置へ到来させて前部座席のアームレストとして使用する場合を示す斜視図である。
【図８】本実施例のテーブル付きアームレストを、シートバックに沿った略垂直状態に到来させた非使用状態で示す斜視図である。
【図９】本実施例のテーブル付きアームレストを、第２位置へ到来させて後部座席の前方側へ臨ませた場合を示す斜視図である。
【図１０】  (ａ)は、第１位置へ到来したアームレスト本体の収容室からテーブルを引出した状態を示す斜視図、(ｂ)は、第１プレートおよび第２プレートを左右に展開することで、テーブルおよびカップホルダとして使用可能とした状態を示す斜視図である。
【図１１】後部座席乗員用のテーブルを、フロアコンソールまたは車体右側壁面等に設けた従来例の説明図である。
【図１２】後部座席乗員用のテーブルを設置し得る部位がない従来例の説明図である。
【符号の説明】
１４  シートバック
２１  アームレスト本体
２２  収容室
２６  ガイドレール
３０  テーブル
３１  支持部材
３２  カップホルダ
３３  第１プレート
３４  第２プレート
３５  保持孔
３６  容器受部材
４２  係止孔(第１係止部)
４３  係止レバー
４４  係止片(第２係止部)
Ｄ  飲料容器
ＦＳ  前部座席
ＲＳ  後部座席
【図１】
0004390973.tif 000002
【図２】
0004390973.tif 000003
【図３】
0004390973.tif 000004
【図４】
0004390973.tif 000005
【図５】
0004390973.tif 000006
【図６】
0004390973.tif 000007
【図７】
0004390973.tif 000008
【図８】
0004390973.tif 000009
【図９】
0004390973.tif 000010
【図１０】
0004390973.tif 000011
【図１１】
0004390973.tif 000012
【図１２】
0004390973.tif 000013